(57)【要約】【課題】装置の複雑化を招くことなく、室内の冷房を行いながら水和物スラリーを生成できる蓄熱式空気調和機を提供する。【解決手段】蓄熱式空気調和機（10）には、冷媒回路（11）において室外熱交換器（24）で凝縮した冷媒が室内熱交換器（84）及び蓄熱熱交換器（56）でそれぞれ蒸発するとともに、蓄熱熱交換器（56）で蒸発する冷媒によって蓄熱回路（70）の蓄熱媒体が冷却される冷房蓄冷運転を行うように冷媒回路（11）を制御する制御部（100）を備える。制御部（100）は、冷房蓄冷運転中に、蓄熱媒体の温度が水和物生成温度未満の所定温度になるように蓄熱媒体を冷却する第１動作と、第１動作の後、圧縮機（23）の回転数を一定としつつ室内膨張弁（83）の開度を小さくすることで蓄熱媒体の温度を更に低下させる第２動作とを実行させるための制御を行う。【選択図】図８
2017141980.tif 000002
【特許請求の範囲】
【請求項１】
蓄熱式空気調和機であって、
圧縮機（23）、室外熱交換器（24）、室内膨張弁（83）、及び室内熱交換器（84）が接続され、冷媒が循環して冷凍サイクルが行われる冷媒回路（11）と、  
蓄熱熱交換器（56）及び蓄熱タンク（71）が接続され、冷却されることで包接水和物が生成される蓄熱媒体が循環する蓄熱回路（70）と、
上記冷媒回路（11）において上記室外熱交換器（24）で凝縮した冷媒が上記室内熱交換器（84）及び上記蓄熱熱交換器（56）でそれぞれ蒸発するとともに、上記蓄熱熱交換器（56）で蒸発する冷媒によって上記蓄熱回路（70）の蓄熱媒体が冷却される冷房蓄冷運転を行うように上記冷媒回路（11）を制御する制御部（100）とを備え、
上記制御部（100）は、上記冷房蓄冷運転中に、
上記蓄熱媒体の温度が水和物生成温度未満の所定温度になるように蓄熱媒体を冷却する第１動作と、
上記第１動作の後、上記圧縮機（23）の回転数を一定としつつ上記室内膨張弁（83）の開度を小さくすることで上記蓄熱媒体の温度を更に低下させる第２動作とを実行させるための制御を行う
ことを特徴とする蓄熱式空気調和機。
【請求項２】
請求項１において、
上記冷媒回路（11）には、上記冷房蓄冷運転中において、上記室外熱交換器（24）で凝縮した冷媒を減圧する蓄熱膨張弁（55）が設けられ、
上記制御部（100）は、上記第１動作において、上記圧縮機（23）の回転数を調節するとともに、上記蓄熱膨張弁（55）を過熱度制御する
ことを特徴とする蓄熱式空気調和機。
【請求項３】
請求項２において、
上記制御部（100）は、上記第２動作において、上記蓄熱膨張弁（55）の過熱度制御を停止し、上記蓄熱膨張弁（55）の開度を一定に固定する、又は上記蓄熱回路（70）の蓄熱媒体の温度に基づいて調節する
ことを特徴とする蓄熱式空気調和機。
【発明の詳細な説明】
【技術分野】
【０００１】
本発明は、蓄熱式空気調和機に関する。
【背景技術】
【０００２】
いわゆる冷熱を蓄熱媒体に蓄え、この冷熱を利用して室内の空調を行う蓄熱式空気調和機がある。
【０００３】
特許文献１に記載の蓄熱式空気調和機は、室内熱交換器と蓄熱用熱交換器とが接続される冷媒回路を備えている。蓄熱用熱交換器では、冷媒によって蓄熱媒体が冷却される。冷却された蓄熱媒体は、蓄熱タンクに貯留される。蓄熱媒体としては、冷却されることによって包接水和物が生成される蓄熱媒体（例えば臭化テトラｎブチルアンモニウム水溶液）が利用される。蓄熱式空気調和機では、蓄熱媒体に冷熱を蓄積しつつ、室内の冷房を行う冷房蓄冷運転が行われる。
【先行技術文献】
【特許文献】
【０００４】
【特許文献１】特開２００７−１７０８９号公報
【発明の概要】
【発明が解決しようとする課題】
【０００５】
ところで、上記の冷房蓄冷運転において、蓄熱媒体を所定温度まで冷却すると、蓄熱媒体が過冷却状態となる。この蓄熱媒体の過冷却状態を解消することで、包接水和物を含む水和物スラリーを生成できる。この水和物スラリーを蓄熱タンクに溜め込むことで、水和物スラリーの潜熱を冷房に利用することができる。しかし、蓄熱媒体の過冷却状態を解消するためには、例えば種氷生成装置のような装置が必要となり、装置の複雑化を招いていてしまう。
【０００６】
本発明は、このような点を考慮してなされたものであり、その目的は、装置の複雑化を招くことなく、室内の冷房を行いながら水和物スラリーを生成できる蓄熱式空気調和機を提供することである。
【課題を解決するための手段】
【０００７】
第１の発明は、蓄熱式空気調和機を対象とし、圧縮機（23）、室外熱交換器（24）、室内膨張弁（83）、及び室内熱交換器（84）が接続され、冷媒が循環して冷凍サイクルが行われる冷媒回路（11）と、蓄熱熱交換器（56）及び蓄熱タンク（71）が接続され、冷却されることで包接水和物が生成される蓄熱媒体が循環する蓄熱回路（70）と、冷媒回路（11）において上記室外熱交換器（24）で凝縮した冷媒が上記室内熱交換器（84）及び上記蓄熱熱交換器（56）でそれぞれ蒸発するとともに、上記蓄熱熱交換器（56）で蒸発する冷媒によって上記蓄熱回路（70）の蓄熱媒体が冷却される冷房蓄冷運転を行うように上記冷媒回路（11）を制御する制御部（100）とを備え、該制御部（100）は、上記冷房蓄冷運転中に、上記蓄熱媒体の温度が水和物生成温度未満の所定温度になるように蓄熱媒体を冷却する第１動作と、該第１動作の後、上記圧縮機（23）の回転数を一定としつつ上記室内膨張弁（83）の開度を小さくすることで上記蓄熱媒体の温度を更に低下させる第２動作とを実行させるための制御を行うことを特徴とする。
【０００８】
第１の発明では、冷房蓄冷運転において、室外熱交換器（24）が凝縮器となり、室内熱交換器（84）及び蓄熱熱交換器（56）が蒸発器となる冷凍サイクルが行われる。これにより、室内熱交換器（84）では、冷媒によって空気が冷却され、室内の冷房が行われる。同時に、蓄熱熱交換器（56）では、冷媒によって蓄熱媒体が冷却される。冷却された蓄熱媒体は、蓄熱タンク（71）に貯留される。
【０００９】
このような冷房蓄冷運転では、包接水和物を含む水和物スラリーを生成するために、第１動作と、第２動作とが順に行われる。
【００１０】
第１動作では、蓄熱熱交換器（56）によって蓄熱媒体が水和物生成温度未満の所定温度まで冷却される。つまり、蓄熱媒体は所定の過冷却度がつくように冷却される。この結果、蓄熱媒体は過冷却状態となる。
【００１１】
第１動作の後、第２動作が実行されると、圧縮機（23）の回転数が一定に制御され、且つ室内膨張弁（83）の開度が小さくなる。すると、冷媒回路（11）では、いわゆるシステムの蒸発温度が低下し、蓄熱熱交換器（56）の蒸発温度も低下する。従って、蓄熱熱交換器（56）では、蓄熱媒体が更に低い温度まで低下する。このように蓄熱媒体の温度が低下すると、蓄熱媒体中では、包接水和物を含んだ水和物スラリーが生成する。この水和物スラリーは、接触する蓄熱媒体の過冷却状態を解消する核となる。これにより、蓄熱媒体の過冷却状態を解消でき、蓄熱タンク（71）内に多くの水和物スラリーを貯めることができる。
【００１２】
第２の発明は、第１の発明において、上記冷媒回路（11）には、上記冷房蓄冷運転中において、上記室外熱交換器（24）で凝縮した冷媒を減圧する蓄熱膨張弁（55）が設けられ、上記制御部（100）は、上記第１動作において、上記圧縮機（23）の回転数を調節するとともに、上記蓄熱膨張弁（55）を過熱度制御することを特徴とする。
【００１３】
ここで、上記「蓄熱熱交換器の蒸発温度を示す指標」は、蓄熱熱交換器の蒸発温度だけでなく、この蒸発温度に相当する飽和圧力（蒸発圧力）も含む意味である。
【００１４】
第２の発明では、第１動作において、圧縮機（23）の回転数が制御され、蓄熱熱交換器（56）の蒸発温度が調節される。これにより、蓄熱媒体を、水和物生成温度未満の所定温度まで冷却できる。同時に、蓄熱膨張弁（55）が過熱度制御されることで、蓄熱熱交換器（56）を流れる冷媒の流量が調節される。これにより、蓄熱熱交換器（56）の冷却能力が確保される。
【００１５】
第３の発明は、第２の発明において、上記制御部（100）は、上記第２動作において、上記蓄熱膨張弁（55）の過熱度制御を停止し、上記蓄熱膨張弁（55）の開度を一定に固定する、又は上記蓄熱回路（70）の蓄熱媒体の温度に基づいて調節することを特徴とする。
【００１６】
第３の発明では、第１動作から第２動作へ移行すると、蓄熱膨張弁（55）の開度が一定に固定される、又は蓄熱媒体の温度に基づいて調節される。仮に第１動作から第２動作へ移行した際に、蓄熱膨張弁（55）が継続して過熱度制御されるとする。第２動作では、室内膨張弁（83）の開度が小さくなるため、これに伴い蓄熱熱交換器（56）を流れる冷媒の流量が増大しやすい。従って、蓄熱膨張弁（55）を過熱度制御すると、蓄熱膨張弁（55）の開度が小さくなりすぎてしまい、第２動作での蓄熱熱交換器（56）の冷却能力が不足する可能性がある。
【００１７】
これに対し、本発明では、蓄熱膨張弁（55）の開度を一定に固定する、あるいは蓄熱媒体の温度に基づいて調節するため、蓄熱膨張弁（55）の開度が小さくなり過ぎるのを回避できる。従って、第２動作において、蓄熱熱交換器（56）によって蓄熱媒体の温度を確実に低下させることができ、蓄熱媒体の過冷却状態を確実に解消できる。
【発明の効果】
【００１８】
第１の発明によれば、第１動作及び第２動作を行うことで、水和物スラリーを生成する装置や部品等を追加することなく、室内の冷房を行いながら、蓄熱タンク（71）に多くの水和物スラリーを貯めることができる。
【００１９】
第２の発明によれば、第１動作において、蓄熱媒体を所定温度まで確実に冷却でき、この蓄熱媒体を過冷却状態とすることができる。
【００２０】
第３の発明によれば、第２動作において、蓄熱媒体の温度を確実に低下させることができ、蓄熱媒体の過冷却状態を確実に解消できる。
【図面の簡単な説明】
【００２１】
【図１】図１は、蓄熱式空気調和機の概略構成を示す配管系統図である。
【図２】図２は、蓄熱式空気調和機の各ユニット、及び制御部の関係を示すブロック図である。
【図３】図３は、図１において、単純冷房運転時の冷媒及び蓄熱媒体の流れを表した図である。
【図４】図４は、図１において、単純暖房運転時の冷媒及び蓄熱媒体の流れを表した図である。
【図５】図５は、図１において、蓄冷運転時の冷媒及び蓄熱媒体の流れを表した図である。
【図６】図６は、図１において、利用冷房運転時の冷媒及び蓄熱媒体の流れを表した図である。
【図７】図７は、図１において、冷房蓄冷運転時の冷媒及び蓄熱媒体の流れを表した図である。
【図８】図８は、冷却動作（第１動作）及び急冷動作（第２動作）を説明するためのタイムチャートである。
【図９】図９は、冷却動作の第１制御動作及び第２制御動作を説明するためのフローチャートである。
【発明を実施するための形態】
【００２２】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２３】
《発明の実施形態》
図１は、蓄熱式空気調和機（10）の概略の配管系統図である。実施形態に係る蓄熱式空気調和機（10）は、室内の冷房と暖房とを切り換えて行う。蓄熱式空気調和機（10）は、冷媒によって蓄熱媒体を冷却することで、蓄熱媒体に、いわゆる冷熱を蓄積できる。蓄熱媒体の冷熱は室内の冷房に利用される。
【００２４】
蓄熱式空気調和機（10）は、室外ユニット（20）、蓄熱ユニット（40）、及び複数の室内ユニット（80）を備えている。図１では、３台の室内ユニット（80）を図示しているが、室内ユニット（80）の数は１つ以上であればよい。
【００２５】
蓄熱式空気調和機（10）は、冷媒回路（11）を有している。冷媒回路（11）は、充填された冷媒が循環することで冷凍サイクルが行われる。冷媒回路（11）は、室外回路（21）、中継回路（41）、及び複数の室内回路（81）を有している。
【００２６】
〈室外ユニット〉
室外ユニット（20）は、室外に設置される。室外ユニット（20）は、室外回路（21）及び室外ファン（22）を有している。
【００２７】
室外回路（21）には、圧縮機（23）、室外熱交換器（24）、室外膨張弁（25）、第１過冷却部（30）、及び四方切換弁（26）が接続される。
【００２８】
圧縮機（23）は、容量可変式に構成される。つまり、圧縮機（23）は、回転数が可変な電動機（図示省略）を有している。圧縮機（23）の吐出部は、四方切換弁（26）の第１ポートと接続する。圧縮機（23）の吸入部は、四方切換弁（26）の第２ポートと接続する。
【００２９】
室外熱交換器（24）は、例えばクロスフィンアンドチューブ式に構成される。室外熱交換器（24）のガス端部は、第３ポートと接続する。室外熱交換器（24）の液端部は、中継回路（41）の液中継管（42）と接続する。室外熱交換器（24）の近傍には、室外ファン（22）が設置される。室外熱交換器（24）では、室外ファン（22）が搬送する空気と冷媒とが熱交換する。
【００３０】
室外膨張弁（25）は、第１過冷却部（30）と第１過冷却熱交換器（31）との間に接続される。室外膨張弁（25）は、その開度が調節されることで、冷媒の圧力や流量を調節する。室外膨張弁（25）は、例えば電子膨張弁で構成される。
【００３１】
第１過冷却部（30）は、液冷媒を冷却可能に構成される。第１過冷却部（30）は、第１過冷却熱交換器（31）、第１導入路（32）、及び第１過冷却弁（33）を有している。
【００３２】
第１過冷却熱交換器（31）は、高圧流路（31a）と低圧流路（31b）とを有している。第１過冷却熱交換器（31）は、高圧流路（31a）を流れる冷媒と、低圧流路（31b）を流れる冷媒とを熱交換させる。
【００３３】
第１導入路（32）の始端は、第１過冷却熱交換器（31）の高圧流路（31a）と室外膨張弁（25）との間に接続される。第１導入路（32）の終端は、圧縮機（23）の吸入部と四方切換弁（26）の第２ポートとの間に接続される。第１導入路（32）の途中には、第１過冷却熱交換器（31）の低圧流路（31b）が接続される。
【００３４】
第１過冷却弁（33）は、第１導入路（32）における低圧流路（31b）の上流側に接続される。第１過冷却弁（33）は、その開度が調節されることで、冷媒の圧力や流量を調節する。第１過冷却弁（33）は、例えば電子膨張弁で構成される。
【００３５】
四方切換弁（26）は、第１から第４までのポートを有する。四方切換弁（26）の第４ポートは、中継回路（41）のガス中継管（43）と接続する。四方切換弁（26）は、第１状態（図１の実線で示す状態）と第２状態（図１の破線で示す状態）とに切り換わる。第１状態の四方切換弁（26）は、第１ポートと第３ポートとを連通させ且つ第２ポートと第４ポートとを連通させる。第２状態の四方切換弁（26）は、第１ポートと第４ポートとを連通させ且つ第２ポートと第３ポートとを連通させる。
【００３６】
〈蓄熱ユニット〉
蓄熱ユニット（40）は、例えば室外に設置される。蓄熱ユニット（40）は、例えば室外ユニット（20）に隣接している。蓄熱ユニット（40）は、冷媒が流れる中継回路（41）と、蓄熱媒体が循環する蓄熱回路（70）とを有している。
【００３７】
〔中継回路〕
中継回路（41）は、室外回路（21）と室内回路（81）との間に接続される。中継回路（41）は、液中継管（42）、ガス中継管（43）、及び冷媒側蓄熱回路（44）を有している。
【００３８】
［液中継管］
液中継管（42）の一端は、室外回路（21）の液端部に接続する。液中継管（42）の他端は、室内回路（81）の液端部に接続する。液中継管（42）には、第１開閉弁（45）及び第２過冷却部（46）が接続される。第１開閉弁（45）は、例えば開閉可能な電磁弁で構成される。
【００３９】
第２過冷却部（46）は、液冷媒を冷却可能に構成される。第２過冷却部（46）は、第２過冷却熱交換器（47）、第２導入路（48）、及び第２過冷却弁（49）を有している。
【００４０】
第２過冷却熱交換器（47）は、高圧流路（47a）と低圧流路（47b）とを有している。第２過冷却熱交換器（47）は、高圧流路（47a）を流れる冷媒と、低圧流路（47b）を流れる冷媒とを熱交換させる。
【００４１】
第２導入路（48）の始端は、第２過冷却熱交換器（47）の高圧流路（47a）と第１開閉弁（45）との間に接続される。第２導入路（48）の終端は、ガス中継管（43）に接続される。第２導入路（48）の途中には、第２過冷却熱交換器（47）の低圧流路（47b）が接続される。
【００４２】
第２過冷却弁（49）は、第２導入路（48）における低圧流路（47b）の上流側に接続される。第２過冷却弁（49）は、その開度が調節されることで、冷媒の圧力や流量を調節する。第２過冷却弁（49）は、例えば電子膨張弁で構成される。
【００４３】
［ガス中継管］
ガス中継管（43）の一端は、室外回路（21）のガス端部に接続する。ガス中継管（43）の他端は、室内回路（81）のガス端部に接続する。ガス中継管（43）には、その一端から他端に向かって順に、冷媒側蓄熱回路（44）の主流路（50）、冷媒側蓄熱回路（44）の補助流路（51）、及び第２導入路（48）が接続される。
【００４４】
［冷媒側蓄熱回路］
冷媒側蓄熱回路（44）は、複数の室内回路（81）と並列になるように冷媒回路（11）に接続される。冷媒側蓄熱回路（44）は、主流路（50）、補助流路（51）、第１バイパス管（52）、及び第２バイパス管（53）を有している。
【００４５】
主流路（50）の一端は、液中継管（42）における室外回路（21）の接続部と第１開閉弁（45）の間に接続される。主流路（50）の他端は、ガス中継管（43）における補助流路（51）の接続部と室外回路（21）の接続部との間に接続される。
【００４６】
主流路（50）には、その液端部からガス端部に向かって順に、予熱熱交換器（54）、蓄熱膨張弁（55）、蓄熱熱交換器（56）、及び第２開閉弁（57）が接続される。
【００４７】
予熱熱交換器（54）は、冷媒回路（11）の冷媒側蓄熱回路（44）に接続される冷媒流路（54a）と、蓄熱回路（70）に接続される蓄熱流路（54b）とを有する。予熱熱交換器（54）は、冷媒流路（54a）を流れる冷媒と、蓄熱流路（54b）を流れる蓄熱媒体とを熱交換させる。
【００４８】
蓄熱膨張弁（55）は、その開度が調節されることで、冷媒の圧力や流量を調節する。蓄熱膨張弁（55）は、例えば電子膨張弁で構成される。
【００４９】
蓄熱熱交換器（56）は、冷媒回路（11）の冷媒側蓄熱回路（44）に接続される冷媒流路（56a）と、蓄熱回路（70）に接続される蓄熱流路（56b）とを有する。蓄熱熱交換器（56）は、冷媒流路（56a）を流れる冷媒と、蓄熱流路（56b）を流れる蓄熱媒体とを熱交換させる。
【００５０】
第２開閉弁（57）は、例えば開閉可能な電磁弁で構成される。
【００５１】
補助流路（51）の一端は、蓄熱熱交換器（56）の冷媒流路（56a）と、第２開閉弁（57）の間に接続する。補助流路（51）の他端は、ガス中継管（43）に接続する。補助流路（51）には、圧力調節弁（66）が接続される。圧力調節弁（66）は、その開度が調節されることで、冷媒の圧力や流量を調節する。蓄熱膨張弁（55）は、例えば電子膨張弁で構成される。圧力調節弁（66）は、冷房蓄冷運転時に、蓄熱熱交換器（56）の冷媒流路（56a）を流出した冷媒の圧力を調節する圧力調節機構を構成する。
【００５２】
第１バイパス管（52）及び第２バイパス管（53）は、主流路（50）における予熱熱交換器（54）と蓄熱熱交換器（56）の間に接続される。第１バイパス管（52）及び第２バイパス管（53）は、蓄熱膨張弁（55）をバイパスするように構成される。
【００５３】
第１バイパス管（52）には、第３開閉弁（58）と第１逆止弁（59）とが接続される。第３開閉弁（58）は、例えば開閉可能な電磁弁で構成される。第１逆止弁（59）は、予熱熱交換器（54）側から蓄熱熱交換器（56）側へ向かう冷媒の流れを許容し、その逆の冷媒の流れを禁止する。第２バイパス管（53）には、圧力逃がし弁（60）が接続される。
【００５４】
［その他の配管］
中継回路（41）は、第３バイパス管（61）と分岐管（62）とを有している。
【００５５】
第３バイパス管（61）は、液中継管（42）に接続される。第３バイパス管（61）は、第１開閉弁（45）をバイパスするように構成される。第３バイパス管（61）には、第２逆止弁（63）が接続される。第２逆止弁（63）は、室内ユニット（80）側から室外ユニット（20）側への冷媒の流れを許容し、その逆の冷媒の流れを禁止する。
【００５６】
分岐管（62）の一端は、液中液管（42）における第１開閉弁（45）と第２過冷却熱交換器（47）との間に接続される。分岐管（62）の他端は、主流路（50）における蓄熱熱交換器（56）と第２開閉弁（57）との間に接続される。分岐管（62）には、第４開閉弁（64）と第３逆止弁（65）とが接続される。第４開閉弁（64）は、例えば開閉可能な電磁弁で構成される。第３逆止弁（65）は、冷媒側蓄熱回路（44）側から液中継管（42）側への冷媒の流れを許容し、その逆の冷媒の流れを禁止する。
【００５７】
〔蓄熱回路〕
蓄熱回路（70）は、冷媒回路（11）と分離された閉回路である。蓄熱回路（70）では、充填された蓄熱媒体（詳細は後述する）が循環する。蓄熱回路（70）には、蓄熱タンク（71）及びポンプ（72）が接続される。
【００５８】
蓄熱タンク（71）は、蓄熱媒体を貯留する中空容器である。蓄熱タンク（71）の上部には、流出管（73）が接続される。蓄熱タンク（71）の下部には、流入管（74）が接続される。ポンプ（72）は、蓄熱回路（70）の蓄熱媒体を搬送して循環させる。
【００５９】
蓄熱熱交換器（56）の蓄熱流路（56b）は、ポンプ（72）と流入管（74）との間に接続される。予熱熱交換器（54）の蓄熱流路（54b）は、流出管（73）とポンプ（72）との間に接続される。
【００６０】
蓄熱回路（70）に充填される蓄熱媒体について詳細に説明する。蓄熱媒体には、冷却によって包接水和物が生成される蓄熱材、即ち流動性を有する蓄熱材が採用される。蓄熱媒体の具体例としては、臭化テトラｎブチルアンモニウムを含有する臭化テトラｎブチルアンモニウム（TBAB：Tetra Butyl Ammonium Bromide）水溶液、トリメチロールエタン（TME：Trimethylolethane）水溶液、パラフィン系スラリーなどが挙げられる。例えば、臭化テトラｎブチルアンモニウム水溶液は、安定的に冷却されて当該水溶液の温度が水和物生成温度よりも低くなった過冷却状態でもその水溶液の状態を維持するが、この過冷却状態にて何らかのきっかけが与えられると、過冷却の溶液が包接水和物を含んだ溶液（即ち水和物スラリー）へと遷移する。即ち、臭化テトラｎブチルアンモニウム水溶液は、過冷却状態を解消して、臭化テトラｎブチルアンモニウムと水分子とからなる包接水和物（水和物結晶）が生成されて粘性の比較的高いスラリー状となる。ここで、過冷却状態とは、蓄熱媒体が水和物生成温度以下の温度となっても包接水和物が生成されずに溶液の状態を保っている状態を言う。逆に、スラリー状となっている臭化テトラｎブチルアンモニウム水溶液は、加熱により当該水溶液の温度が水和物生成温度よりも高くなると、包接水和物が融解して流動性の比較的高い液状態（溶液）となる。
【００６１】
本実施形態では、上記蓄熱媒体として、臭化テトラｎブチルアンモニウムを含有する臭化テトラｎブチルアンモニウム水溶液を採用している。特に、上記蓄熱媒体は、調和濃度の近傍の濃度を有する媒体であることが好ましい。本実施形態では、調和濃度を約４０％とする。この場合の臭化テトラｎブチルアンモニウム水溶液の水和物生成温度は、約１２℃である。
【００６２】
〈室内ユニット〉
複数の室内ユニット（80）は、室内に設置される。複数の室内ユニット（80）は、室内回路（81）と室内ファン（82）とをそれぞれ有している。各室内回路（81）には、その液端部からガス端部に向かって順に、室内膨張弁（83）と室内熱交換器（84）とが接続される。
【００６３】
室内膨張弁（83）は、その開度が調節されることで、冷媒の圧力や流量を調節する。室内膨張弁（83）は、例えば電子膨張弁で構成される。
【００６４】
室内熱交換器（84）は、例えばクロスフィンアンドチューブ式に構成される。室内熱交換器（84）の近傍には、室内ファン（82）が設置される。室内熱交換器（84）では、室内ファン（82）が搬送する空気と冷媒とが熱交換する。
【００６５】
厳密には、複数の室内ユニット（80）は、第１から第３までの室内ユニット（80a,80b,80c）で構成される。第１室内ユニット（80a）は、第１の室内膨張弁（83a）及び第１の室内熱交換器（84a）を有している。第２室内ユニット（80b）は、第２の室内膨張弁（83b）及び第２の室内熱交換器（84b）を有している。第３室内ユニット（80c）は、第３の室内膨張弁（83c）及び第３の室内熱交換器（84c）を有している。
【００６６】
〈センサ〉
蓄熱式空気調和機（10）は、各種のセンサを備えている。
【００６７】
室外回路（21）には、吐出圧力センサ（91）及び吸入圧力センサ（92）が接続される。吐出圧力センサ（91）は、圧縮機（23）の吐出側の冷媒の圧力を検出する。吸入圧力センサ（92）は、圧縮機（23）の吸入側の冷媒の圧力を検出する。この冷媒の圧力に相当する飽和温度は、冷媒回路（11）のいわゆるシステムの蒸発温度Ｔe-sとなる。つまり、吸入圧力センサ（92）は、システム蒸発温度Ｔe-sを検出するシステム蒸発温度検出部を構成する。
【００６８】
中継回路（41）の主流路（50）には、第１中間温度センサ（93）及び第２中間温度センサ（94）が設けられる。第１中間温度センサ（93）は、例えば蓄熱膨張弁（55）と蓄熱熱交換器（56）の間に設けられる。第２中間温度センサ（94）は、蓄熱熱交換器（56）の流出部に設けられる。
【００６９】
第１中間温度センサ（93）は、少なくとも冷房蓄冷運転において、蓄熱熱交換器（56）で蒸発する冷媒の温度を検出する。つまり、第１中間温度センサ（93）は、蓄熱熱交換器（56）の冷媒の蒸発温度Ｔe-aを検出するための蓄熱側蒸発温度検出部を構成する。
【００７０】
第２中間温度センサ（94）は、少なくとも冷房蓄冷運転において、蓄熱熱交換器（56）で蒸発した後の冷媒の温度Ｔp-aを検出する。従って、上記蒸発温度Ｔe-aから温度Ｔp-aを引いた値は、蓄熱熱交換器（56）を通過した直後の冷媒の過熱度ΔＴsh-aとなる。つまり、第１中間温度センサ（93）及び第２中間温度センサ（94）は、蓄熱熱交換器（56）を流出した冷媒の過熱度ΔＴsh-a（蓄熱側過熱度）を検出するための蓄熱側過熱度検出部を構成する。
【００７１】
蓄熱回路（70）には、第１蓄熱温度センサ（95）及び第２蓄熱温度センサ（96）が設けられる。第１蓄熱温度センサ（95）は、蓄熱タンク（71）の流出管（73）と予熱熱交換器（54）との間に設けられる。第２蓄熱温度センサ（96）は、蓄熱タンク（71）の流入管（74）と蓄熱熱交換器（56）との間に設けられる。
【００７２】
第１蓄熱温度センサ（95）は、蓄熱タンク（71）から流出した蓄熱媒体の温度Ｔa1を検出する。つまり、第１蓄熱温度センサ（95）は、実質的には、蓄熱タンク（71）内の蓄熱媒体の温度を検出するタンク温度検出部を構成する。
【００７３】
第２蓄熱温度センサ（96）は、蓄熱熱交換器（56）で冷却された直後の蓄熱媒体の温度Ｔa2を検出する。つまり、第２蓄熱温度センサ（96）は、蓄熱熱交換器（56）の蓄熱流路（56b）の出口部の蓄熱媒体の温度を検出する出口温度検出部を構成する。
【００７４】
第１蓄熱温度センサ（95）の検出温度Ｔa1は、蓄熱熱交換器（56）の入口側の蓄熱媒体の温度ともいえる。第２蓄熱温度センサ（96）の検出温度Ｔa2は、蓄熱熱交換器（56）の出口側の蓄熱媒体の温度ともいえる。従って、両者の温度の差（Ｔa1−Ｔa2）は、蓄熱熱交換器（56）の冷却能力を示す指標となる。
【００７５】
各室内回路（81）には、それぞれ第１室内温度センサ（97）及び第２室内温度センサ（98）が設けられる。第１室内温度センサ（97）は、室内膨張弁（83）と室内熱交換器（84）との間に設けられる。第２室内温度センサ（98）は、室内熱交換器（84）の流出部に設けられる。
【００７６】
第１室内温度センサ（97）は、少なくとも冷房蓄冷運転において、室内熱交換器（84）で蒸発する冷媒の温度を検出する。つまり、第１室内温度センサ（97）は、室内熱交換器（84）の冷媒の蒸発温度Ｔe-rを検出するための室内側蒸発温度検出部を構成する。
【００７７】
本例において厳密にいうと、この蒸発温度Ｔe-rは、第１室内熱交換器（84a）に対応する第１室内側蒸発温度Ｔe-r1と、第２室内熱交換器（84b）に対応する第２室内側蒸発温度Ｔe-r2と、第３室内熱交換器（84c）に対応する第３室内側蒸発温度Ｔe-r3とがある。
【００７８】
第２室内温度センサ（98）は、少なくとも冷房蓄冷運転において、室内熱交換器（84）で蒸発した後の冷媒の温度Ｔp-rを検出する。従って、上記蒸発温度Ｔe-rから温度Ｔp-rを引いた値は、室内熱交換器（84）を通過した直後の冷媒の過熱度ΔＴsh-rとなる。つまり、第１室内温度センサ（97）及び第２室内温度センサ（98）は、室内熱交換器（84）を流出した冷媒の過熱度ΔＴsh-rを検出するための室内側過熱度検出部を構成する。
【００７９】
本例において厳密にいうと、過熱度ΔＴsh-rは、第１室内熱交換器（84a）に対応する第１室内側過熱度ΔＴsh-r1と、第２室内熱交換器（84b）に対応する第２室内側過熱度ΔＴsh-r2と、第３室内熱交換器（84c）に対応する第３室内側過熱度ΔＴsh-r3とがある。
【００８０】
上述した、システム蒸発温度検出部、蓄熱側蒸発温度検出部、蓄熱側過熱度検出部、タンク温度検出部、出口温度検出部、室内側蒸発温度検出部、室内側過熱度検出部においては、他のセンサの種類、他の検出位置、他の算出方法を採用してもよい。
【００８１】
〈制御部〉
蓄熱式空気調和機（10）は、制御部（100）を備えている。制御部（100）について図２を参照しながら説明する。図２は、蓄熱式空気調和機（10）のシステム構成を示すブロック図である。制御部（100）は、室内制御部（110）、蓄熱制御部（120）、及び室外制御部（130）を有している。
【００８２】
〔室内制御部〕
室内制御部（110）は、室内ユニット（80）に設けられる。本例の室内制御部（110）は、各室内ユニット（80）に対応して１つずつ設けられる。室内ユニット（80）は、例えばメモリ及び演算装置を有しており、室内ユニット（80）を制御する。各室内制御部（110）は、温度設定部（111）、室内側出力部（112）、及び室内側弁制御部（113）をそれぞれ有している。
【００８３】
温度設定部（111）には、室内ユニット（80）毎の室内の目標温度が設定温度Ｔsetとして入力される。この設定温度Ｔsetは、例えばユーザがリモートコントローラを操作することで決定される。本例において厳密にいうと、第１室内ユニット（80a）の温度設定部（111）には、第１設定温度Ｔset1が入力される。第２室内ユニット（80b）の温度設定部（111）には、第２設定温度Ｔset2が入力される。第３室内ユニット（80c）の温度設定部（111）には、第３設定温度Ｔset3が入力される。
【００８４】
各室内側出力部（112）は、各温度設定部（111）に入力された設定温度に関する信号を室外制御部（130）へそれぞれ出力する。これらの設定温度は、複数の室内ユニット（80）全体の蒸発温度の目標値（室内側目標蒸発温度Ｔo-r）を決定するための指標となる。この室内側目標蒸発温度Ｔo-rは、室内熱交換器（84）の蒸発温度の目標値を示す指標（室内側目標値）である。また、この設定温度は、冷媒回路（11）のシステムの蒸発温度の目標値（システム側目標蒸発温度Ｔo-s）を決定するための指標となる。
【００８５】
室内側弁制御部（113）は、各室内膨張弁（83）の開度を制御する。室内側弁制御部（113）は、冷房蓄冷運転の冷却動作（第１動作、詳細は後述する）において、各室内膨張弁（83）を過熱度制御する。つまり、冷却動作において、第１室内膨張弁（83a）の開度は、第１室内熱交換器（84a）に対応する第１室内側過熱度ΔＴsh-r1が所定の目標値となるように調節される。第２室内膨張弁（83b）の開度は、第２室内熱交換器（84b）に対応する第２室内側過熱度ΔＴsh-r2が所定の目標値となるように調節される。第３室内膨張弁（83c）の開度は、第３室内熱交換器（84c）に対応する第３室内側過熱度ΔＴsh-r3が所定の目標値となるように調節される。
【００８６】
室内側弁制御部（113）は、急冷動作（第２動作、詳細は後述する）において、各室内膨張弁（83）の開度を徐々に小さくしていく。各室内膨張弁（83）の開度は、例えば１０パルスずつ調節される。また、各室内膨張弁（83）の開度は、急冷動作において、蓄熱熱交換器（56）の蒸発温度Ｔe-a（即ち、蒸発温度を示す指標）が目標値（後述する、第２蒸発温度Ｔo-a2）に収束するように調節される。
【００８７】
〔蓄熱制御部〕
蓄熱制御部（120）は、蓄熱ユニット（40）に設けられる。蓄熱制御部（120）は、例えばメモリ及び演算装置を有しており、蓄熱ユニット（40）を制御する。本例の蓄熱制御部（120）は、目標値設定部（121）、蓄熱側出力部（122）、及び蓄熱側弁制御部（123）を有している。
【００８８】
目標値設定部（121）には、蓄熱熱交換器（56）の蒸発温度の目標値（蓄熱側目標蒸発温度Ｔo-a）が設定される。この蓄熱側目標蒸発温度Ｔo-aは、蓄熱熱交換器（56）の蒸発温度の目標値を示す指標（蓄熱側目標値）である。本例では、蓄熱側目標蒸発温度Ｔo-aとして、第１蒸発温度Ｔo-a1（第１値）と、第２蒸発温度Ｔo-a2（第２値）とが設定される。第１蒸発温度Ｔo-a1は、第２蒸発温度Ｔo-a2よりも所定温度だけ低い。
【００８９】
蓄熱側出力部（122）は、蓄熱側目標蒸発温度に関する信号（例えば上記第１蒸発温度Ｔo-a1及び第１蒸発温度Ｔo-a2）を室外制御部（130）へそれぞれ出力する。この蓄熱側目標蒸発温度は、システム側目標蒸発温度Ｔo-sを決定するための指標となる。
【００９０】
蓄熱側弁制御部（123）は、蓄熱膨張弁（55）の開度を制御する。蓄熱側弁制御部（123）は、冷房蓄冷運転の冷却動作において、蓄熱膨張弁（55）を過熱度制御する。つまり、蓄熱膨張弁（55）の開度は、蓄熱熱交換器（56）の蓄熱側過熱度ΔＴsh-aが所定の目標値となるように制御する。
【００９１】
本例の蓄熱側弁制御部（123）は、急冷動作において、蓄熱媒体の温度に基づいて蓄熱膨張弁（55）の開度を調節する。具体的に、蓄熱側弁制御部（123）は、蓄熱熱交換器（56）の入口側の蓄熱媒体の温度Ｔa1と出口側の蓄熱媒体の温度Ｔa2の差（Ｔa1−Ｔa2）が所定値以上となるように、蓄熱膨張弁（55）の開度を調節する。
【００９２】
〔室外制御部〕
室外制御部（130）は、室外ユニット（20）に設けられる。室外制御部（130）は、例えばメモリ及び演算装置を有しており、室外ユニット（20）を制御する。室外ユニット（20）は、入力部（131）、蒸発温度決定部（132）、及び圧縮機制御部（133）を有している。
【００９３】
入力部（131）には、室内側出力部（112）から出力される信号、及び蓄熱側出力部（122）から出力される信号が入力される。このような信号の授受は、無線又は有線式の通信手段によって実現される。
【００９４】
蒸発温度決定部（132）は、入力部（131）に入力された信号に基づいて、冷媒回路（11）のシステムの蒸発温度の目標値Ｔo-sを決定する。
【００９５】
蒸発温度決定部（132）は、冷房蓄冷運転の冷却動作において、室内ユニット（80）から出力された設定温度Ｔ-setに基づいて、室内側目標蒸発温度Ｔo-rを算出する（詳細は後述する）。
【００９６】
蒸発温度決定部（132）は、冷却動作において、室内側目標蒸発温度Ｔo-rと蓄熱側目標蒸発温度Ｔo-aとを比較する。具体的には、蒸発温度決定部（132）は、冷却動作において、室内側目標蒸発温度Ｔo-rが蓄熱側目標蒸発温度Ｔo-aよりも低いと、システム側目標蒸発温度Ｔo-sをＴo-rとする。一方、蒸発温度決定部（132）は、冷却動作において、室内側目標蒸発温度Ｔo-rが蓄熱側目標蒸発温度Ｔo-aよりも高いと、システム側目標蒸発温度Ｔo-sをＴo-aとする。なお、蒸発温度決定部（132）は、冷房蓄冷運転において、室内側目標蒸発温度Ｔo-rと蓄熱側目標蒸発温度Ｔo-aとが等しいときには、システム側目標蒸発温度Ｔo-sを、Ｔo-r及びＴo-aのいずれかとする。
【００９７】
圧縮機制御部（133）は、圧縮機（23）の回転数を制御する。これにより、冷媒回路（11）の冷媒の循環量が調節可能となる。ひいては、冷媒回路（11）のシステム蒸発温度が調節可能でき、更には蓄熱熱交換器（56）の蒸発温度が調節できる。
【００９８】
圧縮機制御部（133）は、冷房蓄冷運転の冷却動作において、冷媒回路（11）のシステム蒸発温度Ｔe-sが、蒸発温度決定部（132）で決定したシステム側目標蒸発温度Ｔo-sに近づくように、圧縮機（23）の回転数を調節する。
【００９９】
圧縮機制御部（133）は、冷房蓄冷運転の急冷動作において、圧縮機（23）の回転数を一定に保持する。
【０１００】
−運転動作−
蓄熱式空気調和機（10）の基本的な運転動作について説明する。蓄熱式空気調和機（10）は、単純冷房運転、単純暖房運転、蓄冷運転、利用冷房運転、及び冷房蓄冷運転を行う。
【０１０１】
〈単純冷房運転〉
図３示す単純冷房運転では、蓄熱回路（70）が停止状態となり、室内ユニット（80）が室内の冷房を行う。単純冷房運転では、室外熱交換器（24）が凝縮器となり、各室内熱交換器（84）が蒸発器となる冷凍サイクルが行われる。
【０１０２】
具体的に、単純冷房運転では、四方切換弁（26）が第１状態になる。第２開閉弁（57）、第３開閉弁（58）、及び第４開閉弁（64）が閉状態に、第１開閉弁（45）が開状態になる。室外膨張弁（25）が全開状態に、蓄熱膨張弁（55）、第２過冷却弁（49）、及び圧力調節弁（66）が全閉状態になる。第１過冷却弁（33）及び室内膨張弁（83）の開度が適宜調節される。圧縮機（23）、室外ファン（22）、及び室内ファン（82）が運転状態となる。蓄熱回路（70）のポンプ（72）は停止状態となる。
【０１０３】
圧縮機（23）から吐出された冷媒は、室外熱交換器（24）を流れる。室外熱交換器（24）では、冷媒が室外空気へ放熱して凝縮する。凝縮した冷媒のほとんどは、第１過冷却熱交換器（31）の高圧流路（31a）を流れる。凝縮した冷媒の残りは、第１過冷却弁（33）で減圧された後、第１過冷却熱交換器（31）の低圧流路（31b）を流れる。第１過冷却熱交換器（31）では、低圧流路（31b）の冷媒が高圧流路（31a）の冷媒から吸熱して蒸発する。これにより、高圧流路（31a）の液冷媒が冷却される。低圧流路（31b）で蒸発した冷媒は、圧縮機（23）に吸入される。
【０１０４】
第１過冷却熱交換器（31）で冷却された冷媒は、液中継管（42）を流れ、各室内回路（81）へ分流する。各室内回路（81）に流入した冷媒は、各室内膨張弁（83）で減圧された後、各室内熱交換器（84）を流れる。各室内熱交換器（84）では、冷媒が室内空気から吸熱して蒸発する。これにより、室内の冷房が行われる。
【０１０５】
各室内熱交換器（84）で蒸発した冷媒は、ガス中継管（43）で合流した後、圧縮機（23）に吸入されて再び圧縮される。
【０１０６】
〈単純暖房運転〉
図４に示す単純暖房運転では、蓄熱回路（70）が停止状態となり、室内ユニット（80）が室内の暖房を行う。単純暖房運転では、室内熱交換器（84）が凝縮器となり、室外熱交換器（24）が蒸発器となる冷凍サイクルが行われる。
【０１０７】
具体的に、単純暖房運転では、四方切換弁（26）が第２状態になる。第１開閉弁（45）、第２開閉弁（57）、第３開閉弁（58）、及び第４開閉弁（64）が閉状態になる。第１過冷却弁（33）、蓄熱膨張弁（55）、第２過冷却弁（49）、及び圧力調節弁（66）が全閉状態になる。室外膨張弁（25）及び室内膨張弁（83）の開度が適宜調節される。圧縮機（23）、室外ファン（22）、及び室内ファン（82）が運転状態となる。蓄熱回路（70）のポンプ（72）は停止状態となる。
【０１０８】
圧縮機（23）から吐出された冷媒は、ガス中継管（43）を流れ、各室内回路（81）へ分流する。各室内回路（81）に流入した冷媒は、各室内熱交換器（84）を流れる。各室内熱交換器（84）では、冷媒が室内空気へ放熱する。これにより、室内の暖房が行われる。
【０１０９】
各室内熱交換器（84）で凝縮した冷媒は、液中継管（42）で合流し、室外膨張弁（25）で減圧された後、圧縮機（23）に吸入されて再び圧縮される。
【０１１０】
〈蓄冷運転〉
図５に示す蓄冷運転では、蓄熱回路（70）で冷熱を蓄える動作が行われ、室内ユニット（80）が停止状態となる。蓄冷運転では、室外熱交換器（24）が凝縮器となり、予熱熱交換器（54）が放熱器となり、蓄熱熱交換器（56）が蒸発器となる冷凍サイクルが行われる。
【０１１１】
具体的に、蓄冷運転では、四方切換弁（26）が第１状態になる。第１開閉弁（45）、第３開閉弁（58）、及び第４開閉弁（64）が閉状態に、第２開閉弁（57）が開状態になる。室外膨張弁（25）が全開状態に、第１過冷却弁（33）、第２過冷却弁（49）、圧力調節弁（66）、及び室内膨張弁（83）が全閉状態になる。蓄熱膨張弁（55）の開度が適宜調節される。圧縮機（23）及び室外ファン（22）が運転状態となる。蓄熱回路（70）のポンプ（72）は運転状態となる。
【０１１２】
圧縮機（23）から吐出された冷媒は、室外熱交換器（24）を流れる。室外熱交換器（24）では、冷媒が室外空気へ放熱して凝縮する。凝縮した冷媒は、予熱熱交換器（54）の冷媒流路（54a）を流れる。予熱熱交換器（54）では、冷媒流路（54a）の冷媒が蓄熱流路（54b）の蓄熱媒体へ放熱する。これにより、蓄熱タンク（71）から流出した蓄熱媒体中の包接水和物の核が融解する。
【０１１３】
予熱熱交換器（54）で冷却された冷媒は、蓄熱膨張弁（55）で減圧された後、蓄熱熱交換器（56）の冷媒流路（56a）を流れる。蓄熱熱交換器（56）では、冷媒流路（56a）の冷媒が蓄熱流路（56b）の蓄熱媒体から吸熱して蒸発する。これにより、蓄熱媒体が冷却される。冷却された蓄熱媒体は、蓄熱タンク（71）に貯留される。
【０１１４】
蓄熱熱交換器（56）で蒸発した冷媒は、圧縮機（23）に吸入されて再び圧縮される。
【０１１５】
〈利用冷房運転〉
図６に示す利用冷房運転では、蓄熱回路（70）の蓄熱媒体の冷熱が冷媒に付与される動作が行われ、室内ユニット（80）が冷房を行う。利用冷房運転では、室外熱交換器（24）が凝縮器となり、予熱熱交換器（54）及び蓄熱熱交換器（56）が放熱器となり、室内熱交換器（84）が蒸発器となる冷凍サイクルが行われる。
【０１１６】
具体的に、利用冷房運転では、四方切換弁（26）が第１状態になる。第１開閉弁（45）及び第２開閉弁（57）が閉状態に、第３開閉弁（58）及び第４開閉弁（64）が開状態になる。室外膨張弁（25）及び蓄熱膨張弁（55）が全開状態に、第１過冷却弁（33）及び圧力調節弁（66）が全閉状態になる。第２過冷却弁（49）及び室内膨張弁（83）の開度が適宜調節される。圧縮機（23）、室外ファン（22）、及び室内ファン（82）が運転状態となる。蓄熱回路（70）のポンプ（72）は停止状態となる。
【０１１７】
圧縮機（23）から吐出された冷媒は、室外熱交換器（24）を流れる。室外熱交換器（24）では、冷媒が室外空気へ放熱して凝縮する。凝縮した冷媒は、予熱熱交換器（54）の冷媒流路（54a）を流れる。予熱熱交換器（54）では、冷媒流路（54a）の冷媒が蓄熱流路（54b）の蓄熱媒体へ放熱する。これにより、予熱熱交換器（54）で冷媒が冷却される。
【０１１８】
冷却された冷媒は、蓄熱熱交換器（56）の冷媒流路（56a）を流れる。蓄熱熱交換器（56）では、冷媒流路（56a）の冷媒が蓄熱流路（56b）の蓄熱媒体へ放熱する。これにより、蓄熱熱交換器（56）で冷媒が冷却される。
【０１１９】
冷媒側蓄熱回路（44）で冷却された冷媒は、液中継管（42）を流れ、各室内回路（81）へ分流する。各室内回路（81）に流入した冷媒は、各室内膨張弁（83）で減圧された後、各室内熱交換器（84）を流れる。各室内熱交換器（84）では、冷媒が室内空気から吸熱して蒸発する。これにより、室内の冷房が行われる。
【０１２０】
各室内熱交換器（84）で蒸発した冷媒は、ガス中継管（43）で合流した後、圧縮機（23）に吸入されて再び圧縮される。
【０１２１】
〈冷房蓄冷運転〉
図７に示す冷房蓄冷運転では、蓄熱タンク（71）の蓄熱媒体に冷熱が蓄積されながら、室内の冷房が行われる。冷房蓄冷運転では、室外熱交換器（24）が凝縮器となり、蓄熱熱交換器（56）及び室内熱交換器（84）が蒸発器となる冷凍サイクルが行われる。
【０１２２】
具体的に、冷房蓄冷運転では、四方切換弁（26）が第１状態になる。第３開閉弁（58）及び第４開閉弁（64）が閉状態に、第１開閉弁（45）が開状態になる。室外膨張弁（25）が全開状態に、第１過冷却弁（33）が全閉状態になる。蓄熱膨張弁（55）、第２過冷却弁（49）、及び室内膨張弁（83）の開度が適宜調節される。圧縮機（23）、室外ファン（22）、及び室内ファン（82）が作動する。蓄熱回路（70）のポンプ（72）は停止状態となる。
【０１２３】
なお、冷房蓄冷運転では、後述する冷却動作の第１制御動作において、圧力調節弁（66）の開度が適宜調節される、第２開閉弁（57）は閉状態となる。第１制御動作において、第２開閉弁（57）を開状態としてもよい。冷房蓄冷運転では、後述する冷却動作の第２制御動作、及び急冷動作において、圧力調節弁（66）が例えば全開状態となり、第２開閉弁（57）が開状態となる。
【０１２４】
圧縮機（23）から吐出された冷媒は、室外熱交換器（24）を流れる。室外熱交換器（24）では、冷媒が室外空気へ放熱して凝縮する。凝縮した冷媒の一部は、冷媒側蓄熱回路（44）に分流し、予熱熱交換器（54）の冷媒流路（54a）を流れる。予熱熱交換器（54）では、冷媒流路（54a）の冷媒が蓄熱流路（54b）の蓄熱媒体へ放熱する。これにより、蓄熱タンク（71）から流出した蓄熱媒体中の包接水和物の核が融解する。
【０１２５】
予熱熱交換器（54）で冷却された冷媒は、蓄熱膨張弁（55）で減圧された後、蓄熱熱交換器（56）の冷媒流路（56a）を流れる。蓄熱熱交換器（56）では、冷媒流路（56a）の冷媒が蓄熱流路（56b）の蓄熱媒体から吸熱して蒸発する。これにより、蓄熱媒体が冷却される。冷却された蓄熱媒体は、蓄熱タンク（71）に貯留される。冷媒側蓄熱回路（44）の冷媒は、補助流路（51）の圧力調節弁（66）を通過し、ガス中継管（43）へ流出する。
【０１２６】
室外熱交換器（24）で凝縮した冷媒の一部は、液中継管（42）を流れ、各室内回路（81）へ分流する。各室内回路（81）に流入した冷媒は、各室内膨張弁（83）で減圧された後、各室内熱交換器（84）を流れる。各室内熱交換器（84）では、冷媒が室内空気から吸熱して蒸発する。これにより、室内の冷房が行われる。
【０１２７】
各室内熱交換器（84）で蒸発した冷媒は、蓄熱熱交換器（56）で蒸発した冷媒とガス中継管（43）で合流した後、圧縮機（23）に吸入されて再び圧縮される。
【０１２８】
−冷房蓄冷運転の詳細な動作−
上述した冷房蓄冷運転時の詳細な動作について説明する。冷房蓄冷運転では、冷却動作（第１動作）と、急冷動作（第２動作）とが実行される。冷却動作及び急冷動作について図８を参照しながら説明する。図８は、冷房蓄冷運転における冷却動作及び急冷動作のタイムチャートである。なお、冷却動作では、図９に示す制御動作が実行される。
【０１２９】
〈冷却動作〉
冷房蓄冷運転が実行されると、まず、冷却動作が行われる。
【０１３０】
冷却動作（第１動作）は、室内の冷房を行いながら、蓄熱熱交換器（56）から流出する蓄熱媒体の温度Ｔa2を水和物生成温度未満の所定温度（例えば第１温度Ｔp1）まで冷却する動作である。ここで、例えばこの所定温度Ｔp1は、蓄熱媒体の水和物生成温度（例えば１２℃）未満の所定温度（例えば９℃）に設定される。つまり、冷却動作では、蓄熱媒体に所定温度の過冷却度（例えば３℃）がつくように、蓄熱媒体が冷却される。
【０１３１】
冷却動作では、蓄熱タンク（71）の蓄熱媒体の温度をＴp1まで冷却するための蓄熱熱交換器（56）の蒸発温度の目標値（蓄熱側目標蒸発温度Ｔo-a）として、第１蒸発温度Ｔo-a1が用いられる。即ち、冷却動作では、蓄熱側目標蒸発温度Ｔo-aが比較的高い温度となる。
【０１３２】
冷却動作において、室内側目標蒸発温度Ｔo-rが蓄熱側目標蒸発温度Ｔo-aよりも低いときには、第１制御動作が行われる。第１制御動作では、冷媒回路（11）のシステム蒸発温度Ｔe-sは室内側蒸発温度Ｔo-rに収束する。また、第１制御動作では、蓄熱熱交換器（56）の蒸発温度が蓄熱側目標蒸発温度Ｔo-a（第１蒸発温度Ｔo-a1）に近づくように圧力調節弁（66）の開度が調節される。このため、冷却動作において、蓄熱媒体の温度が過剰に低下することはない。
【０１３３】
冷却動作において、室内側目標蒸発温度Ｔo-rが蓄熱側目標蒸発温度Ｔo-aよりも高いときには、第２制御動作が行われる。第２制御動作では、冷媒回路（11）のシステム蒸発温度Ｔe-sが蓄熱側目標蒸発温度Ｔo-a（第２蒸発温度Ｔo-a2）に近づくように圧縮機（23）の回転数が調節される。
【０１３４】
冷却動作が継続して行われると、蓄熱タンク（71）内の蓄熱媒体の温度が徐々に低くなり、蓄熱タンク（71）の流出側の蓄熱媒体の温度Ｔa1も低くなっていく。この温度Ｔa1が所定温度Ｔp3に達すると、冷却動作が終了し、急冷動作が実行される。この所定温度Ｔp2は、蓄熱熱交換器（56）から流出する蓄熱媒体の温度Ｔa2が所定温度Ｔp2に至るような値に設定される。
【０１３５】
〔冷却動作における第１制御動作及び第２制御動作の詳細〕
冷却動作で実行される第１制御動作及び第２制御動作の詳細について、図９のフローチャートを参照しながら詳細に説明する。
【０１３６】
ステップＳｔ１において、蒸発温度決定部（132）は、入力部（131）に入力された信号に基づきシステム室内側目標蒸発温度Ｔo-sを決定する。具体的に、入力部（131）には、第１室内ユニット（80a）に対応する第１目標設定温度Ｔset1と、第２室内ユニット（80b）に対応する第２目標設定温度Ｔset2と、第３室内ユニット（80c）に対応する第３目標設定温度Ｔset3とが入力される。蒸発温度決定部（132）は、これらの設定温度のうち最も低い設定温度Ｔset-minを求める。この最も低い設定温度Ｔset-minに対応する室内ユニット（80）（室内熱交換器（84））の目標とする蒸発温度を算出する。この蒸発温度が室内側目標蒸発温度Ｔo-rとなる。
【０１３７】
ここで、この室内側目標蒸発温度Ｔo-rは、室内ユニット（80）で必要とされる冷房能力（例えば室内温度と設定温度との差）、室内ユニット（80）の設定温度（設定温度Ｔset-min）、室内ユニット（80）の設定湿度、室内の環境情報（例えば内部発熱負荷）、室内ユニット（80）の過去の運転履歴、室内ユニット（80）に対応する連絡配管の長さ（圧力損失）等を指標として算出される。
【０１３８】
ステップＳｔ２において、蒸発温度決定部（132）は、入力部（131）に入力された信号に基づき蓄熱側目標蒸発温度Ｔo-aを決定する。具体的に、入力部（131）には、例えば第１蒸発温度Ｔo-a1又は第２蒸発温度Ｔo-a2が入力される。ここで、第１蒸発温度Ｔo-a1は、冷却動作が実行されているときの、蓄熱熱交換器（56）の目標とする蒸発温度である。従って、冷却動作中であれば、蒸発温度決定部（132）は、蓄熱側目標蒸発温度Ｔo-aを第１蒸発温度Ｔo-a1とする。
【０１３９】
なお、第２蒸発温度Ｔo-a2は、冷房蓄冷運転の急冷動作が実行されているときの、蓄熱熱交換器（56）の目標とする蒸発温度である。従って、急冷動作中であれば、蒸発温度決定部（132）は、蓄熱側目標蒸発温度Ｔo-aを第２蒸発温度Ｔo-a2とする。
【０１４０】
ステップＳｔ３において、蒸発温度決定部（132）は、ステップＳｔ１で決定した室内側目標蒸発温度Ｔo-rと、ステップＳｔ２で決定した蓄熱側目標蒸発温度Ｔo-aとを比較する。ステップＳｔ３において、室内側目標蒸発温度Ｔo-rが蓄熱側目標蒸発温度Ｔo-aよりも低いときには、ステップＳｔ４に移行し、第１制御動作が実行される。
【０１４１】
第１制御動作では、システム側目標蒸発温度Ｔo-sが、室内側目標蒸発温度Ｔo-rとなる。そして、圧縮機制御部（133）は、検出したシステム蒸発温度Ｔe-sが、システム側目標蒸発温度Ｔo-s（即ち、室内側目標蒸発温度Ｔo-r）に近づくように、圧縮機（23）の回転数（運転周波数）を調節する。これにより、冷媒回路（11）のシステム蒸発温度Ｔe-sが、室内側目標蒸発温度Ｔo-rに維持される。
【０１４２】
また、第１制御動作では、室内側弁制御部（113）が、室内膨張弁（83）の開度を過熱度制御する。同時に、蓄熱側弁制御部（123）は、蓄熱膨張弁（55）の開度を過熱度制御する。
【０１４３】
加えて、蓄熱側弁制御部（123）は、第１制御動作において、圧力調節弁（66）の開度を調節する。具体的には、蓄熱側弁制御部（123）は、蓄熱熱交換器（56）の蒸発温度Ｔe-aが、蓄熱側目標蒸発温度Ｔo-aに近づくように、圧力調節弁（66）の開度を制御する。これにより、冷媒回路（11）のシステム蒸発温度Ｔe-sを室内側目標蒸発温度Ｔo-rに維持しつつ、蓄熱熱交換器（56）の蒸発温度Ｔe-aがＴo-aを下回ってしまうことも回避できる。
【０１４４】
一方、ステップＳｔ３において、蓄熱側目標蒸発温度Ｔo-aが室内側目標蒸発温度Ｔo-rよりも低いときには、ステップＳｔ６へ移行し、第２制御動作が実行される。第２制御動作では、システム側目標蒸発温度Ｔo-sが、蓄熱側目標蒸発温度Ｔo-aとなる。そして、圧縮機制御部（133）は、検出したシステム蒸発温度Ｔe-sが、システム側目標蒸発温度Ｔo-s（即ち、蓄熱側目標蒸発温度Ｔo-a）に近づくように、圧縮機（23）の回転数（運転周波数）を調節する。これにより、冷媒回路（11）のシステム蒸発温度Ｔe-sが、蓄熱側目標蒸発温度Ｔo-aに維持される。
【０１４５】
また、第２制御動作では、室内側弁制御部（113）が、室内膨張弁（83）の開度を過熱度制御する。同時に、蓄熱側弁制御部（123）は、蓄熱膨張弁（55）の開度を過熱度制御する。
【０１４６】
以上のように、冷却動作では、室内側目標蒸発温度Ｔo-rが、蓄熱側目標蒸発温度Ｔo-aよりも低いときには、システム蒸発温度Ｔe-sが室内側目標蒸発温度Ｔo-rに近づくように、圧縮機（23）の回転数が制御される（第１制御動作）。このため、システム蒸発温度Ｔe-sが、蓄熱側目標蒸発温度Ｔo-aを上回ることを回避でき、ひいては蓄熱熱交換器（56）の蒸発温度Ｔe-aが、蓄熱側目標蒸発温度Ｔo-aを上回ることを回避できる。従って、冷房蓄冷運転において、蓄熱媒体を所望とする温度まで冷却できる。
【０１４７】
第１制御動作では、圧力調節弁（66）の開度を調節することで、蓄熱熱交換器（56）の蒸発温度Ｔe-aを蓄熱側目標蒸発温度Ｔo-aに維持できる。このため、蓄熱熱交換器（56）での蓄熱媒体の冷却能力が過剰となることも回避できる。
【０１４８】
また、冷房蓄冷運転では、室内側目標蒸発温度Ｔo-rが、蓄熱側目標蒸発温度Ｔo-aよりも高いときには、システム蒸発温度Ｔe-sが蓄熱側目標蒸発温度Ｔo-aに近づくように、圧縮機（23）の回転数が制御される（第２制御動作）。このため、システム蒸発温度Ｔe-sが、蓄熱側目標蒸発温度Ｔo-aを上回ることを回避でき、ひいては蓄熱熱交換器（56）の蒸発温度Ｔe-aが、蓄熱側目標蒸発温度Ｔo-aを上回ることを回避できる。
【０１４９】
第２制御動作では、室内膨張弁（83）の開度が過熱度制御される。このため、第２制御動作では、室内膨張弁（83）の開度が絞り気味となり、各室内熱交換器（84）を流れる冷媒の流量が少なくなる。この結果、蓄熱側目標蒸発温度Ｔo-aを目標値として圧縮機（23）の回転数を制御したとしても、各室内ユニット（80）の冷房能力が過剰となってしまうことを防止できる。
【０１５０】
ステップＳｔ５において、冷却動作の終了条件が成立すると、冷却運転から急冷運転へ移行する。具体的には、蓄熱媒体の温度Ｔa1が所定温度Ｔp3に達すると、冷却運転から急冷運転へ移行する。
【０１５１】
〔急冷動作〕
急冷動作（第２動作）は、室内の冷房を行いながら、蓄熱熱交換器（56）から流出する蓄熱媒体の温度Ｔa2を、冷却動作の終了時の温度よりも更に低い所定温度まで急激に低下させる動作である。ここで、この所定温度Ｔp2は、例えば第１温度（＝９℃）よりも低い第２温度（＝６℃）に設定される。
【０１５２】
急冷動作では、蓄熱タンク（71）の蓄熱媒体の温度をＴp2まで冷却するための蓄熱熱交換器（56）の蒸発温度の目標値（蓄熱側目標蒸発温度Ｔo-a）として、第２蒸発温度Ｔo-a2が用いられる。即ち、急冷動作では、蓄熱側目標蒸発温度Ｔo-aが比較的低い温度となる。
【０１５３】
冷却動作から急冷動作へ移行すると、圧縮機（23）の回転数が一定の回転数に維持される。この一定の回転数は、例えば予め設定された所定値であってもよいし、冷却動作の終了時点の圧縮機（23）の回転数であってもよい。
【０１５４】
冷却動作から急冷動作へ移行すると、室内膨張弁（83）の過熱度制御が終わり、室内膨張弁（83）の開度を小さくする制御が行われる。具体的に、急冷動作が始まると、室内膨張弁（83）の開度が所定開度（例えば１０パルス）ずつ徐々に小さくなっていく。室内膨張弁（83）の開度を小さくする動作は、蓄熱熱交換器（56）の蒸発温度Ｔe-aが蓄熱側目標蒸発温度Ｔo-a（Ｔo-a2）に収束するまで継続して行われる。
【０１５５】
冷却動作から急冷動作へ移行すると、蓄熱膨張弁（55）の過熱度制御が終わり、蓄熱熱交換器（56）の冷却能力を確保するように、蓄熱膨張弁（55）の開度が調節される。具体的に、蓄熱膨張弁（55）の開度は、蓄熱熱交換器（56）の入口側及び出口側の蓄熱媒体の温度差Ｔa1−Ｔa2が所定値以上となるように制御される。
【０１５６】
急冷動作において室内膨張弁（83）の開度が小さくなると、蓄熱熱交換器（56）の流量が多くなり易い。このため、仮に蓄熱膨張弁（55）の過熱度制御を継続すると、蓄熱膨張弁（55）の開度が過剰に小さくなり、蓄熱熱交換器（56）で蓄熱媒体を十分に冷却できない可能性がある。これに対し、本例の急冷動作では、蓄熱膨張弁（55）の過熱度制御が終了し、温度差Ｔa1−Ｔa2を確保するように蓄熱膨張弁（55）の開度を制御する。従って、蓄熱熱交換器（56）の冷却能力を補償できる。
【０１５７】
急冷動作が行われると、蓄熱熱交換器（56）の蓄熱流路（56b）では、蓄熱媒体の温度が急低下する。すると、蓄熱熱交換器（56）の蓄熱流路（56b）では、蓄熱媒体中で包接水和物が生成される。従って、急冷動作では、蓄熱熱交換器（56）において、包接水和物を含む水和物スラリーを生成できる。この水和物スラリーは、蓄熱媒体の過冷却状態を解消するための核となる。この結果、蓄熱タンク（71）において、過冷却状態が解消された水和物スラリーを蓄えることができる。
【０１５８】
急冷動作の終了の判定は、例えば次の条件に基づいて行われる。
【０１５９】
１）蓄熱回路（70）の圧力損失の増大、２）蓄熱熱交換器（56）の流出側の蓄熱媒体の温度Ｔa2の上昇、３）蓄熱タンク（71）の流出側の蓄熱媒体の温度Ｔa1の温度が水和物生成温度以下の所定温度に達すること。つまり、急冷動作において、蓄熱媒体の過冷却状態が解消されると、水和物スラリーの生成に起因して、蓄熱回路（70）の圧力損失が増大したり、蓄熱熱交換器（56）の流出側の蓄熱媒体の温度Ｔa2が上昇したりする。このため、１）や２）の条件が成立することで、過冷却状態が解消されたと判断し、急冷動作を終了させる。なお、１）の圧力損失の増大は、例えばポンプ（72）をＯＮ状態とした際の蓄熱回路（70）の蓄熱媒体の流量に基づいて判定できる。
【０１６０】
また、上記３）の条件が成立すると、蓄熱タンク（71）の蓄熱媒体の温度が低くなりすぎて、流出管（73）が包接水和物により閉塞してしまうおそれがある。このため、３）の条件が成立すると、速やかに急冷動作を終了し、冷却動作を再び行うことで、このような配管の閉塞を未然に回避できる。
【０１６１】
急冷動作から冷却動作への移行（復帰）は、上記１）、２）、３）の条件のいずれか１つの条件が成立することで行ってもよいし、これらの２つ、あるいは３つの条件が成立するとことで行ってもよい。
【０１６２】
このように、冷房蓄冷運転では、冷却動作の後に急冷動作を行うことで、過冷却状態の蓄熱媒体の温度を急激に低下させ、過冷却状態を解消する核（包接水和物）を生成できる。この結果、室内の冷房を行いながら、蓄熱タンク（71）内に速やかに水和物スラリーを蓄えることができる。
【０１６３】
−実施形態の効果−
実施形態によれば、冷房蓄冷運転において、冷却動作及び急冷動作を行うことで、水和物スラリーを生成する装置や部品等を追加することなく、室内の冷房を行いながら、蓄熱タンク（71）に多くの水和物スラリーを貯めることができる。
【０１６４】
冷却動作では、圧縮機（23）の回転数を調節することで、蓄熱媒体を所定温度まで確実に冷却でき、この蓄熱媒体を過冷却状態とすることができる。
【０１６５】
一方、急冷動作では、圧縮機（23）の回転数を一定とし、室内膨張弁（83）の開度を小さくすることで、蓄熱熱交換器（56）の蒸発温度Ｔe-aを確実に低下できる。この際、蓄熱熱交換器（56）の出入口の蓄熱媒体の温度差Ｔa1−Ｔa2を所定値に確保するように、蓄熱膨張弁（55）の開度を調節するため、蓄熱熱交換器（56）の冷却能力を補償できる。従って、急冷動作では、蓄熱媒体の過冷却状態を確実に解消できる。
【０１６６】
《その他の実施形態》
上記実施形態の急冷動作では、温度差Ｔa1−Ｔa2に基づいて蓄熱膨張弁（55）の開度を調節しているが、温度Ｔa1及び温度Ｔa2のいずれか一方のみを用いて蓄熱膨張弁（55）の開度を調節してもよい。また、急冷動作において、蓄熱膨張弁（55）の過熱度制御を行わず、蓄熱膨張弁（55）の開度を一定の開度に固定してもよい。
【０１６７】
上記実施形態に係る蒸発温度を示す種々の指標は、蒸発温度だけでなく、この蒸発温度に相当する飽和圧力（蒸発圧力）であってもよい。
【０１６８】
蓄熱媒体は、臭化テトラｎブチルアンモニウムを含有する臭化テトラｎブチルアンモニウム水溶液以外であってもよいし、蓄熱媒体の濃度は、４０％に限定されない。
【産業上の利用可能性】
【０１６９】
以上説明したように、本発明は、蓄熱式空気調和機について有用である。
【符号の説明】
【０１７０】
１０      蓄熱式空気調和機
１１      冷媒回路
２０      室外ユニット
２３      圧縮機
２４      室外熱交換器
５５      蓄熱膨張弁
５６      蓄熱熱交換器
６６      圧力調節機構
７０      蓄熱回路
７１      蓄熱タンク
８３      室内膨張弁
８４      室内熱交換器
１００      制御部
【図１】
2017141980.tif 000003
【図２】
2017141980.tif 000004
【図３】
2017141980.tif 000005
【図４】
2017141980.tif 000006
【図５】
2017141980.tif 000007
【図６】
2017141980.tif 000008
【図７】
2017141980.tif 000009
【図８】
2017141980.tif 000010
【図９】
2017141980.tif 000011